(57)【要約】【課題】重送原稿が発生した場合の装置の利便性を向上することができる技術を提案する。【解決手段】指示部６１３は、片面読取モード及び前記両面同時読取モードの設定時においては、重送原稿以外の原稿を全て読み取って排紙トレイ２１５に排出する一方、前記重送原稿に対する画像読取部２の読取動作を禁止し、該重送原稿を前記一時排出部２１９に排出する処理をモード制御部６１２に指示する。また、指示部６１３は、両面反転読取モードの設定時においては、重送原稿以外の原稿に対しその両面を読み取った後、排出トレイに排出する処理をモード制御部６１２に指示するとともに、重送原稿に対し読取動作及び反転動作を行うことなく排紙トレイ２１５に排出する処理をモード制御部６１２に指示し、表示制御部６１５は、重送原稿以外の原稿の縮小画像と、重送原稿の発生した旨の報知、該重送原稿の発生箇所の報知及び重送原稿の枚数等を表示部５１に表示させる。【選択図】図３
2010136274.tif 000002
【特許請求の範囲】
【請求項１】
原稿載置部に載置された原稿束の各原稿を給紙する原稿給紙部と、
前記原稿給紙部により搬送されてくる原稿の一方の面の画像を読み取る第１読取部と、
前記原稿給紙部により搬送されてくる原稿の他方の面の画像を読み取る第２読取部と、
前記第１読取部により前記原稿の一方の面を読み取ると、該原稿の少なくとも一部分を一時排出部に一時的に排出したのち再び機内に取り込んで前記第１読取部に向けて搬送することにより、その他方の面が前記第１読取部に読み取られる反転状態として搬送する反転部と、
前記第１読取部又は第２読取部により前記原稿の一方の面を読み取る片面読取モードと、前記原稿給紙部による一度の原稿搬送で、前記第１読取部が当該原稿の一方の面を読み取り、前記第２読取部が当該原稿の他方の面を読み取る両面同時読取モードと、前記第１読取部及び第２読取部のうちいずれか一方の読取部により前記原稿の一方の面を読み取り、前記反転部による当該原稿の反転後に、前記一方の読取部により当該原稿の他方の面を読み取る両面反転読取モードとのうちいずれかのモードで当該各部に読取動作を行わせるモード制御部と、
前記原稿給紙部により給紙される重送状態の原稿を重送原稿として検出する重送検出部と、
前記読み取りが終了した原稿が排出される原稿排出部と、
前記片面読取モード及び前記両面同時読取モードのうち少なくとも一方のモードの設定時において前記重送検出部により前記重送原稿が検出されたとき、前記重送原稿の前後で搬送される原稿を読み取って該原稿を前記原稿排出部に排出するとともに前記重送原稿を前記一時排出部に排出する処理を前記モード制御部に指示する指示部と
を備える画像読取装置。
【請求項２】
前記指示部は、前記両面反転読取モードの設定時において前記重送検出部により前記重送原稿が検出されたとき、前記重送原稿の前後で搬送される原稿を読み取って該原稿を前記原稿排出部に排出するとともに前記重送原稿を前記原稿排出部に排出する処理を前記モード制御部に指示し、
前記両面反転読取モードの設定時において前記重送検出部により前記重送原稿が検出されたとき、重送原稿が発生した旨及び前記原稿束における該重送原稿の位置を報知する報知部を更に備える請求項１に記載の画像読取装置。
【請求項３】
原稿載置部に載置された原稿束の各原稿を給紙する原稿給紙部と、
前記原稿給紙部により搬送されてくる原稿の一方の面の画像を読み取る第１読取部と、
前記原稿給紙部により搬送されてくる原稿の他方の面の画像を読み取る第２読取部と、
前記第１読取部により前記原稿の一方の面を読み取ると、該原稿の少なくとも一部分を一時排出部に一時的に排出したのち再び機内に取り込んで前記第１読取部に向けて搬送することにより、その他方の面が前記第１読取部に読み取られる反転状態として搬送する反転部と、
前記第１読取部及び第２読取部のうちいずれか一方の読取部により前記原稿の一方の面を読み取り、前記反転部による当該原稿の反転後に、前記一方の読取部により当該原稿の他方の面を読み取る両面反転読取モードで当該各部に読取動作を行わせるモード制御部と、
前記原稿給紙部により給紙される重送状態の原稿を重送原稿として検出する重送検出部と、
前記読み取りが終了した原稿が排出される原稿排出部と、
前記両面反転読取モードの設定時において前記重送検出部により前記重送原稿が検出されたとき、前記重送原稿の前後で搬送される原稿を読み取って該原稿を前記原稿排出部に排出するとともに前記重送原稿を前記原稿排出部に排出する処理を前記モード制御部に指示する指示部と、
前記両面反転読取モードの設定時において前記重送検出部により前記重送原稿が検出されたとき、重送原稿が発生した旨及び前記原稿束における該重送原稿の位置を報知する報知部と
を備える画像読取装置。
【請求項４】
前記報知部は、前記両面反転読取モードの設定時に、１群の原稿束において前記重送検出部により前記重送原稿が複数回検出されたとき、各重送原稿について前記原稿束における位置をそれぞれ報知する請求項２又は３に記載の画像読取装置。
【請求項５】
前記指示部の指示に基づく前記処理の終了後に、前記重送検出部により検出され且つユーザにより前記原稿載置部に載置された重送原稿の読取動作を指示する入力を行うための第１の入力操作部を備え、
前記モード制御部は、前記第１の入力操作部により前記重送原稿の読取動作の指示が入力されると、前記第１読取部及び前記第２読取部の少なくとも一方に現在の読取モードに応じた前記重送原稿の読取動作を行わせ、
前記記憶部は、その読取動作により得られる重送原稿の画像データを含む各原稿の画像データを、原稿順に相当する順番を示す順番情報と対応付けた形態で一連の画像データとして記憶する請求項１ないし４のいずれか一項に記載の画像読取装置。
【請求項６】
前記第１の入力操作部により読取動作を指示する入力を行う対象の重送原稿の枚数を入力するための第２の入力操作部を備え、
前記記憶部は、前記第１の入力操作部により原稿の読取動作の指示が入力されると、前記第２の入力操作部により入力された枚数の重送原稿に対する読取動作を前記第１読取部及び前記第２読取部の少なくとも一方に行わせ、
前記記憶部は、その読取動作により得られる重送原稿の画像データを含む各原稿の画像データを、原稿順に相当する順番を示す順番情報と対応付けた形態で一連の画像データとして記憶する請求項５に記載の画像読取装置。
【請求項７】
請求項５又は６に記載の画像読取装置と、
前記記憶部に記憶された前記一連の画像データに基づく画像形成動作を、前記順番情報が示す順番に従って行う画像形成部と
を備える画像形成装置。
【発明の詳細な説明】
【技術分野】
【０００１】
本発明は、原稿の両面を読み取ることが可能な画像読取装置、及びこの画像読取装置を備えた画像形成装置に関するものである。
【背景技術】
【０００２】
従来、複写機やファクシミリ等の画像形成装置では、自動原稿送り装置（ＡＤＦ：Automatic Document Feeder）を備えた画像読取装置によって、原稿の表面及び裏面を自動的に読み取っている。この原稿読取では、原稿の表面の画像をイメージセンサが読み取った後、その原稿の表裏を反転させて、原稿裏面の画像を再度イメージセンサが読み取る方式が広く採用されている。
【０００３】
さらには、下記特許文献１に示されるように、原稿トレイからの原稿搬送路において原稿の表裏両面側にそれぞれイメージセンサを設けることで、原稿を反転させることなく１回の原稿搬送（ワンパス）で原稿両面をほぼ同時に読み取る方式を採用した画像形成装置が知られている。
【０００４】
この原稿両面をほぼ同時に読み取る方式を採用する画像形成装置では、原稿の一方の面の読み取りは装置本体側に配設された縮小光学系イメージセンサで行い、原稿の他方の面の読み取りは、設置スペース、コスト等の関係上、自動原稿送り装置側に配設された密着光学系イメージセンサで行う場合が多い。
【０００５】
上記特許文献１に示された画像形成装置のように、原稿の表裏面を読み取るイメージセンサの光学的構成が異なると、それぞれに用いられる光源やレンズアレイ等の相違により読取画像の画質に差が生じる。また、この読取画像の画質差が、用紙の表裏面に形成される画像の画質の差となって現れる。
【０００６】
そのため、このような画像形成装置においては、用紙の表裏面の画質を同一にするために、１枚の原稿を反転させて２度同じイメージセンサ（縮小光学系イメージセンサ）に搬送して当該イメージセンサで原稿の表裏面を読み取らせる両面反転読取モードと、画像の読取時間を短縮するために原稿の表裏面を縮小光学系と密着光学系の２つのイメージセンサを用いてほぼ同時に読み取らせる両面同時読取モードの２つのモードを備えている場合がある。
【特許文献１】特開２００４−１５２９９号公報
【発明の開示】
【発明が解決しようとする課題】
【０００７】
ところで、この種の画像形成装置においては、近年、単位時間当たりに画像形成できる原稿の枚数（以下、生産性という）を更に向上する技術が要求されている。この生産性を向上するための一手段として、原稿の搬送速度を大きくしたり各原稿の搬送開始タイミングの時間間隔を短縮したりすることが考えられる。しかしながら、このような手段を採用すると、複数の原稿が重なったまま搬送される状態（以下、重送状態という）が発生する可能性が高くなる。
【０００８】
このような重送状態が生じると、読取動作が行われない原稿が発生する。そして、重送状態が発生したことを検出する手段が何も無い場合には、ユーザは、読取動作が行われなかった原稿が発生していることに気付かないことが多い。
【０００９】
従来では、この問題点に鑑み、前記重送状態の発生を検出する重送センサを搭載し、該重送センサにより重送状態の発生が検出された場合には、その時点で前記原稿に対する読取動作を含む一連の動作を停止していた。
【００１０】
しかしながら、この場合、重送状態の発生が検出された時点で前記一連の動作を停止するため、ユーザが所用のために複写開始指示後に画像形成装置の設置場所から一時的に離れて再びその場所に戻ってきたときに、前記読取動作を含む一連の動作が実施されていない原稿が残った状態となる。
【００１１】
ユーザは、時間の有効利用のために、前記一連の動作を実行している時間を使って所用を行うが、前述のように前記一連の動作が実施されていない原稿が残ると、その残った原稿に対する前記一連の動作のやり直しを行わせる必要があり、そのやり直しを行わせている間、再度の重送状態の発生に備えて待機する必要が生じ、結果的に時間の有効利用が実現できなくなる。したがって、この点における装置の利便性を向上する余地があった。
【００１２】
また、重送状態の発生が検出された時点で前記一連の動作を停止するように構成すると、重送状態となる原稿が先頭の原稿に近いほど停止時間が長くなり、特に原稿の枚数が多い原稿束の場合には、その原稿枚数に応じてユーザが画像形成装置の設置場所に戻ってくるタイミングを遅らせることも相まって前記停止時間が非常に長くなる。
【００１３】
本発明は、上記の問題を解決するためになされたものであり、重送原稿の発生に伴う装置の停止時間を可及的に短くしながら、重送原稿が発生した場合の装置の利便性を向上することができる技術を提案することを目的とする。
【課題を解決するための手段】
【００１４】
請求項１に記載の発明は、原稿載置部に載置された原稿束の各原稿を給紙する原稿給紙部と、前記原稿給紙部により搬送されてくる原稿の一方の面の画像を読み取る第１読取部と、前記原稿給紙部により搬送されてくる原稿の他方の面の画像を読み取る第２読取部と、前記第１読取部により前記原稿の一方の面を読み取ると、該原稿の少なくとも一部分を一時排出部に一時的に排出したのち再び機内に取り込んで前記第１読取部に向けて搬送することにより、その他方の面が前記第１読取部に読み取られる反転状態として搬送する反転部と、前記第１読取部又は第２読取部により前記原稿の一方の面を読み取る片面読取モードと、前記原稿給紙部による一度の原稿搬送で、前記第１読取部が当該原稿の一方の面を読み取り、前記第２読取部が当該原稿の他方の面を読み取る両面同時読取モードと、前記第１読取部及び第２読取部のうちいずれか一方の読取部により前記原稿の一方の面を読み取り、前記反転部による当該原稿の反転後に、前記一方の読取部により当該原稿の他方の面を読み取る両面反転読取モードとのうちいずれかのモードで当該各部に読取動作を行わせるモード制御部と、前記原稿給紙部により給紙される重送状態の原稿を重送原稿として検出する重送検出部と、前記読み取りが終了した原稿が排出される原稿排出部と、前記片面読取モード及び前記両面同時読取モードのうち少なくとも一方のモードの設定時において前記重送検出部により前記重送原稿が検出されたとき、前記重送原稿の前後で搬送される原稿を読み取って該原稿を前記原稿排出部に排出するとともに前記重送原稿を前記一時排出部に排出する処理を前記モード制御部に指示する指示部とを備える画像読取装置である。
【００１５】
この発明によれば、前記片面読取モード及び前記両面同時読取モードにおいては、前記反転部を使用しないことを利用して、前記片面読取モード及び前記両面同時読取モードのうち少なくとも一方のモードの設定時において前記重送検出部により前記重送原稿が検出されたときには、前記重送原稿の前後で搬送される原稿については読取動作を行って該原稿を前記原稿排出部に排出するようにしたので、ユーザが画像読取装置の設置場所から一時的に離れて戻ってきたときに、重送原稿の前後で搬送される原稿については読取動作が実施されている状態となる。よって、重送原稿の発生を検出するとそれ以降の読取動作を停止する装置に比して、読取動作のやり直しを行わせなければならない原稿の枚数を低減することができ、そのやり直しを行わせている間の待機時間や装置の停止時間を大幅に低減することができる。
【００１６】
また、前記重送原稿を前記一時排出部に排出して、原稿排出部に排出される重送原稿の前後で搬送される原稿と区別するようにしたので、ユーザは、発生した重送原稿を一目で認識することができる。
【００１７】
請求項２に記載の発明は、請求項１に記載の画像読取装置において、前記指示部は、前記両面反転読取モードの設定時において前記重送検出部により前記重送原稿が検出されたとき、前記重送原稿の前後で搬送される原稿を読み取って該原稿を前記原稿排出部に排出するとともに前記重送原稿を前記原稿排出部に排出する処理を前記モード制御部に指示し、前記両面反転読取モードの設定時において前記重送検出部により前記重送原稿が検出されたとき、重送原稿が発生した旨及び前記原稿束における該重送原稿の位置を報知する報知部を更に備えるものである。
【００１８】
請求項３に記載の発明は、原稿載置部に載置された原稿束の各原稿を給紙する原稿給紙部と、前記原稿給紙部により搬送されてくる原稿の一方の面の画像を読み取る第１読取部と、前記原稿給紙部により搬送されてくる原稿の他方の面の画像を読み取る第２読取部と、前記第１読取部により前記原稿の一方の面を読み取ると、該原稿の少なくとも一部分を一時排出部に一時的に排出したのち再び機内に取り込んで前記第１読取部に向けて搬送することにより、その他方の面が前記第１読取部に読み取られる反転状態として搬送する反転部と、前記第１読取部及び第２読取部のうちいずれか一方の読取部により前記原稿の一方の面を読み取り、前記反転部による当該原稿の反転後に、前記一方の読取部により当該原稿の他方の面を読み取る両面反転読取モードで当該各部に読取動作を行わせるモード制御部と、前記原稿給紙部により給紙される重送状態の原稿を重送原稿として検出する重送検出部と、前記読み取りが終了した原稿が排出される原稿排出部と、前記両面反転読取モードの設定時において前記重送検出部により前記重送原稿が検出されたとき、前記重送原稿の前後で搬送される原稿を読み取って該原稿を前記原稿排出部に排出するとともに前記重送原稿を前記原稿排出部に排出する処理を前記モード制御部に指示する指示部と、前記両面反転読取モードの設定時において前記重送検出部により前記重送原稿が検出されたとき、重送原稿が発生した旨及び前記原稿束における該重送原稿の位置を報知する報知部とを備える画像読取装置である。
【００１９】
前記両面反転読取モードにおいては通常の読取動作で前記反転部が使用されるため、前記片面読取モード及び前記両面同時読取モードのように重送原稿をそれ以外の原稿と区別するべく反転部の一時排出部に排出することはできない。
【００２０】
そこで、請求項２，３に記載の発明のように、前記両面反転読取モードの設定時において前記重送検出部により前記重送原稿が検出されたときには、前記重送原稿をそれ以外の原稿と同様に前記原稿排出部に排出し、前記報知部によって、重送原稿が発生した旨及び前記原稿束における該重送原稿の位置を報知することにより、重送原稿を前記反転部の一時排出部に排出することができない両面反転読取モードであっても、重送原稿が発生した旨及び前記原稿束における該重送原稿の位置をユーザに認識させることができる。
【００２１】
また、重送原稿の読取動作をやり直すべく原稿束の中から重送原稿を抜き出す作業の分だけ、前記片面読取モード及び前記両面同時読取モードに比して若干作業が増えるものの、原稿束における重送原稿の位置が報知されるため、ユーザは、発生した重送原稿を簡単に探し出すことができる。
【００２２】
また、前記片面読取モードや前記両面同時読取モードの設定時と同様に、前記重送原稿の前後で搬送される原稿については読取動作を行って該原稿を前記原稿排出部に排出するようにしたので、前記待機時間を大幅に低減することができる。
【００２３】
請求項４に記載の発明は、請求項２又は３に記載の画像読取装置において、前記報知部は、前記両面反転読取モードの設定時に、１群の原稿束において前記重送検出部により前記重送原稿が複数回検出されたとき、各重送原稿について前記原稿束における位置をそれぞれ報知するものである。
【００２４】
この発明によれば、前記両面反転読取モードの設定時に、１群の原稿束において前記重送検出部により前記重送原稿が複数回検出されたときには、各重送原稿について前記原稿束における位置をそれぞれ報知するようにしたので、前記重送原稿が複数回検出された場合であっても、各回で発生した重送原稿の前記原稿束における位置をユーザに認識させることが可能となる。
【００２５】
請求項５に記載の発明は、請求項１ないし４のいずれか一項に記載の画像読取装置において、前記指示部の指示に基づく前記処理の終了後に、前記重送検出部により検出され且つユーザにより前記原稿載置部に載置された重送原稿の読取動作を指示する入力を行うための第１の入力操作部を備え、前記モード制御部は、前記第１の入力操作部により前記重送原稿の読取動作の指示が入力されると、前記第１読取部及び前記第２読取部の少なくとも一方に現在の読取モードに応じた前記重送原稿の読取動作を行わせ、前記記憶部は、その読取動作により得られる重送原稿の画像データを含む各原稿の画像データを、原稿順に相当する順番を示す順番情報と対応付けた形態で一連の画像データとして記憶するものである。
【００２６】
この発明によれば、前記第１の入力操作部により前記重送原稿の読取動作の指示が入力されると、前記第１読取部及び前記第２読取部の少なくとも一方に現在の読取モードに応じた前記重送原稿の読取動作が行われ、その読取動作により得られる重送原稿の画像データを含む各原稿の画像データが、原稿順に相当する順番を示す順番情報と対応付けた形態で一連の画像データとして前記記憶部に記憶される。
【００２７】
これにより、例えば画像データに基づいて画像形成動作を行う場合に、画像形成動作を行うべき画像データの順番を各原稿の原稿順に基づいて設定することができる。
【００２８】
請求項６に記載の発明は、請求項５に記載の画像読取装置において、前記第１の入力操作部により読取動作を指示する入力を行う対象の重送原稿の枚数を入力するための第２の入力操作部を備え、前記記憶部は、前記第１の入力操作部により原稿の読取動作の指示が入力されると、前記第２の入力操作部により入力された枚数の重送原稿に対する読取動作を前記第１読取部及び前記第２読取部の少なくとも一方に行わせ、前記記憶部は、その読取動作により得られる重送原稿の画像データを含む各原稿の画像データを、原稿順に相当する順番を示す順番情報と対応付けた形態で一連の画像データとして記憶するものである。
【００２９】
この発明によれば、重送原稿の枚数を入力できるようにしたので、装置側で検出した重送原稿の枚数が誤っている場合であっても、正確な重送原稿の枚数を装置に認識させることができる。
【００３０】
請求項７に記載の発明は、請求項５又は６に記載の画像読取装置と、前記記憶部に記憶された前記一連の画像データに基づく画像形成動作を、前記順番情報が示す順番に従って行う画像形成部とを備える画像形成装置である。
【００３１】
この発明によれば、請求項１乃至６のいずれかに記載の発明によって得られる画像形成装置を実現することができる。
【発明の効果】
【００３２】
本発明によれば、前記片面読取モード及び前記両面同時読取モードにおいては、重送原稿の前後で搬送される原稿の読取動作を実施するようにしたので、重送原稿の発生を検出するとそれ以降の読取動作を停止する装置に比して前記待機時間及び装置の停止時間を大幅に低減することができるとともに、前記重送原稿を前記一時排出部に排出して、原稿排出部に排出される重送原稿の前後で搬送される原稿と区別するようにしたので、ユーザは、発生した重送原稿を一目で認識することができ、装置の利便性を向上することができる。
【発明を実施するための最良の形態】
【００３３】
以下、本発明に係る画像読取装置及び画像形成装置の実施形態について図面を参照して説明する。尚、以下の実施形態では、本発明に係る画像読取装置及び画像形成装置を、カラーコピー、スキャナ、ファクシミリ、プリンタ等の機能を備えた複合機に集約した形態を例に説明する。図１は、本発明に係る画像読取装置及び画像形成装置の一実施形態である複合機１の内部構成を模式的に示した縦断面図である。
【００３４】
複合機１は、大きく分けて、画像読取部２と装置本体３とからなる。画像読取部２は、原稿給紙部２１と、スキャナ部２２と、ＣＩＳ２３１と、ユーザインターフェース部５と、後述する反転機構及び制御部６１（図３参照）を備えてなる。原稿給紙部２１は、ＡＤＦ（Automatic Document Feeder）を備え、原稿トレイ２１１、ピックアップローラ２１２、プラテン２１３、排紙ローラ２１４及び排紙トレイ２１５を有する。
【００３５】
原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００３６】
前記プラテン２１３の周面に対向する位置のうち、原稿の搬送方向において後述する読取位置Ｐより手前の予め定められた位置には、用紙を検出するタイミングセンサ（図示せず）が設置されており、該タイミングセンサの出力信号に基づき、前記読取位置Ｐへの原稿の搬送タイミングが図られる。前記タイミングセンサは、例えばフォトインタラプタにより構成される。
【００３７】
スキャナ部（第１読取部）２２は、原稿の画像を光学的に読み取って画像データを生成するものである。スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。
【００３８】
このスキャナ部２２は、光源２２２として冷陰極蛍光管等の白色蛍光ランプが用いられ、前記第１ミラー２２３、第２ミラー２２４、第３ミラー２２５、第１キャリッジ２２６、第２キャリッジ２２７及び結像レンズ２２８により、原稿からの光をＣＣＤ２２９に導く。スキャナ部２２は、光源２２２として冷陰極蛍光管等の白色蛍光ランプを用いて構成されていることから、光源として３色ＬＥＤ等が用いられる後述のＣＩＳ２３１よりも色再現性に優れる。
【００３９】
ガラス２２１には、前記原稿給紙部２１によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００４０】
画像読取部２の原稿読取方式としては、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００４１】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００４２】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。
【００４３】
更に、原稿給紙部２１は、切換ガイド２１６、反転ローラ２１７、反転搬送路２１８及び一時排出部２１９を備えた原稿反転機構（反転部）を有する。この原稿反転機構が、１回目のＡＤＦ読み取りによって表面（原稿の一方のページに対応する面）が読み取られた原稿を表裏反転させて読取窓２３０に再搬送することで、再度ＣＣＤ２２９によって裏面（原稿の他方のページに対応する面）の読み取りが行われる。
【００４４】
この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００４５】
両面読み取り時における表面読み取り後は、切換ガイド２１６は下側に切り替えられ、プラテン２１３を経た原稿の一部分は反転ローラ２１７によって前記一時排出部２１９に排出された後、前記切換ガイド２１６が上側に切り替えられるとともに前記反転ローラ２１７が逆方向に回転駆動されることにより、前記原稿が前記切換ガイド２１６を介して前記反転搬送路２１８上を搬送され、再度、前記読取位置Ｐに向けて搬送される。以下、原稿反転機構を用いて原稿の両面を読み取らせるモードを両面反転読取モードと表記する。
【００４６】
更に、本実施形態の画像読取部２は、ＡＤＦ読取モード時において、前述したように原稿の搬送途中でＣＣＤ２２９（スキャナ部２２）によって原稿の表面の読み取りを行わせると略同時に（略並行して）、ＣＩＳ（第２読取部）２３１によって原稿の裏面の読み取りを行わせることが可能である。
【００４７】
この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に、裏面がＣＩＳ２３１によって読み取られる。なお、ＣＩＳ２３１では、光源としてＲＧＢの３色ＬＥＤ等が用いられる。
【００４８】
このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００４９】
この両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。
【００５０】
なお、本実施形態における複合機１は、両面同時読取モードに初期設定されており、前記読取モードのモード設定操作が何も行われないまま画像形成指示が入力された場合には、両面同時読取モードで原稿の画像読取動作が行われるようになっている。
【００５１】
複合機１は、装置本体３と、装置本体３の左方に配設されたスタックトレイ６とを有している。装置本体３は、複数の給紙カセット４６１と、給紙カセット４６１から用紙を１枚ずつ繰り出して画像形成部４０へ搬送する給紙ローラ４６２と、給紙カセット４６１から搬送されてきた用紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００５２】
画像形成部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００５３】
なお、シアン、マゼンタ、イエロー及びブラックの各色に対するトナーの供給は、図略のトナー供給容器（トナーカートリッジ）から行われる。また、画像形成部４０を通過した用紙をスタックトレイ６又は排出トレイ４８まで搬送する搬送ローラ４６３，４６４等が設けられている。
【００５４】
用紙の両面に画像を形成する場合は、画像形成部４０で用紙の一方の面に画像を形成した後、この用紙を排出トレイ４８側の搬送ローラ４６３にニップされた状態とする。この状態で搬送ローラ４６３を反転させて用紙をスイッチバックさせ、用紙を用紙搬送路Ｌに送って画像形成部４０の上流域に再度搬送し、画像形成部４０により他方の面に画像を形成した後、用紙をスタックトレイ６又は排出トレイ４８に排出する。
【００５５】
また、装置本体３の前方には、ユーザが操作画面や各種メッセージ等を視認することができる表示部５１や、種々の操作命令を入力するための操作ボタン等を有するユーザインターフェース部５が備えられている。図２は、ユーザインターフェース部５の正面図の一例である。
【００５６】
ユーザインターフェース部５は、表示部５１、タッチパネル５２、数字キー群５３、各種操作ボタン５４〜５７、機能選択ボタン５８等を備える。表示部５１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部５１は、タッチパネル５２と一体的に形成されている。タッチパネル５２は、ユーザによるタッチ操作がなされたときにそのタッチ位置を検知し、該タッチ位置を示す検知信号を後述する制御部６１（図３参照）へ出力するものである。
【００５７】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００５８】
図３は、複合機１の電気的な構成を示すブロック図である。尚、図１、図２に示した各部と同一のものには同一の符号を付し、その説明は省略する。複合機１は、原稿給紙部２１、スキャナ部２２、ＣＩＳ２３１、画像形成部４０、通信部６６、ユーザインターフェース部５、重送センサ部６８、記憶部６７及び制御部６１を備えて構成される。
【００５９】
原稿給紙部２１は、前記ＡＤＦ読取モードで原稿のコピーやスキャンが行われる際に、原稿トレイ２１１に載置された原稿を自動的に取り込んで、スキャナ部２２やＣＩＳ２３１による原稿の読み取りが可能なように搬送する。スキャナ部２２及びＣＩＳ２３１は、図１に示すスキャナ部２２及びＣＩＳ２３１に相当するものである。
【００６０】
ユーザインターフェース部５は、図１，図２に示すユーザインターフェース部５に相当するものであり、使用者がコピー機能、プリンタ機能、ファクシミリ機能及びスキャナ機能等に関する操作を行うために使用され、使用者による操作命令（コマンド）等を制御部６１に与えるものである。
【００６１】
画像形成部４０は、スキャナ部２２又はＣＩＳ２３１によって得られた画像データや、前記パーソナルコンピュータやファクシミリ装置等から通信部６６を介して転送された画像データに基づいた画像を用紙に形成するものである。通信部６６は、図略のネットワークインターフェースを用い、ネットワークを介して接続されたコンピュータやファクシミリ装置等の外部装置との間で種々のデータの送受信を行うものである。
【００６２】
重送センサ部６８は、画像読取部２における原稿の搬送路上の適所に設置された１又は複数の重送センサからなる。重送センサは、複数の原稿が重なったまま搬送される状態（以下、重送状態という）が発生した場合に、その重なった複数の原稿（以下、重送原稿という）及びその枚数を検出するためものであり、例えば一対の投受光器を用いて原稿に対する光の透過量を検出し、この光の透過量に応じた受光信号を出力する。
【００６３】
記憶部６７は、スキャナ部２２及びＣＩＳ２３１の読取動作により得られた画像データや、後述する制御部６１により処理された画像データ等を記憶する記憶部と、ファクシミリ通信を行う時の短縮釦登録の相手先名称やファクシミリ番号、或いは、ネットワークスキャナとして使用される際の送信相手先のＩＰアドレスなどを予め記憶したりする記憶部とを有して構成されているものである。
【００６４】
制御部６１は、複合機１全体の動作制御を司るものであり、ＣＰＵ、ＲＡＭ及びＲＯＭ等によって構成される。前記原稿給紙部２１、スキャナ部２２、ＣＩＳ２３１、ユーザインターフェース部５、画像形成部４０、通信部６６及び記憶部６７は、制御部６１による制御の下で動作する。制御部６１は、ユーザからユーザインターフェース部５に入力された各種の指示信号等に応じて、図略のＲＯＭ又は前記記憶部６７に記憶されている動作制御プログラムに基づいた処理を実行し、各機能部への指示信号の出力、データ転送等を行って複合機１を統括的に制御する。
【００６５】
制御部６１は、重送検出処理部６１１と、モード制御部６１２と、指示部６１３と、記憶制御部６１４と、表示制御部６１５と、画像形成指示部６１６とを有する。
【００６６】
重送検出処理部６１１は、重送センサ部６８から出力される受光信号に基づき、重送原稿が発生したか否か、及び重送原稿が発生したことを検出した場合にその重送状態の原稿枚数及び原稿束における重送原稿の位置を検出し、これらの情報を重送原稿に関する情報として表示制御部６１５及び記憶制御部６１４に出力するものである。
【００６７】
前記重送センサ部６８が出力する受光信号が示す受光光量は、光を透過させる対象の原稿の枚数に応じて異なり、その枚数が多いほど受光光量が小さくなることを利用して、重送検出処理部６１１は、光を透過させる対象の原稿の枚数に応じた受光信号のレベルを予め記憶しておき、前記受光センサ部６８から受光信号を受信すると、その受光信号のレベルに対応する原稿の枚数を検出し、その枚数が２枚以上のとき重送原稿が発生したものと判断し、前記受光信号のレベルが原稿の枚数が１枚の場合に対応するものであるとき重送原稿が発生していないものと判断する。
【００６８】
モード制御部６１２は、前記片面読取モードと前記両面反転読取モードと前記両面同時読取モードとの間で、当該複合機１の読取モードを切り替えて、各モードで実施する読取動作及び用紙の搬送動作において動作すべき各部を動作させるものである。
【００６９】
指示部６１３は、前記重送センサ部６８により重送原稿が検出された場合に、その時点で設定されている読取モードに応じて次のような処理を行うものである。
【００７０】
指示部６１３は、前記片面読取モード及び前記両面同時読取モードの設定時においては、前記重送原稿以外の原稿（重送原稿の前後で搬送される原稿）を読み取って排紙トレイ２１５に排出する一方、前記重送原稿に対する画像読取部２の読取動作を禁止し、該重送原稿を前記一時排出部２１９に排出する処理を前記モード制御部６１２に指示する。
【００７１】
例えば複写対象の原稿束が１０枚の原稿からなる原稿束である場合に、３枚目〜５枚目までの原稿が重送状態となったとき、１枚目、２枚目、６枚目〜１０枚目の原稿については、前記画像読取部２による読取動作が実施され、その後排紙トレイ２１５に排出される。一方、３枚目〜５枚目までの重送原稿については、前記画像読取部２による読取動作は実施されずに前記一時排出部２１９に排出される。
【００７２】
これにより、ユーザは、原稿（重送原稿）が前記一時排出部２１９に排出されている状態を見て、重送原稿の発生を認識し、該重送原稿を原稿トレイ２１１に再度載置してスタートボタン５５を操作することになる。
【００７３】
一方、前記両面反転読取モードの設定時においては、指示部６１３は、前記重送原稿以外の原稿（重送原稿の前後で搬送される原稿）については、その両面を読み取った後、排紙トレイ２１５に排出する処理を前記モード制御部６１２に指示する。
【００７４】
また、前記両面反転読取モードでは、原稿の反転動作のために一時排出部２１９を使用するため、前記片面読取モード及び前記両面同時読取モードの設定時のように、重送原稿をその他の原稿と区分するために使用することはできない。そこで、指示部６１３は、重送原稿については読取動作及び反転動作を行うことなく排紙トレイ２１５に排出する処理を前記モード制御部６１２に指示する。その結果、重送原稿もそれ以外の原稿も排紙トレイ２１５に排出されることとなる。
【００７５】
この場合、重送原稿以外の原稿（重送原稿の前後で搬送される原稿）を１度の反転のみで排紙トレイ２１５に排出すると、重送原稿と該重送原稿の前後で搬送される原稿とで表裏が逆になるので、指示部６１３は、前記重送原稿以外の原稿を、裏面の読取りが終了すると再度反転した上で前記スタックトレイ６等に排出する処理を前記モード制御部６１２に指示する。
【００７６】
記憶制御部６１４は、前記各読取モードにおいて得られた重送原稿以外の原稿の画像データを記憶部６７に格納する。例えば図４に示すように、複写対象の原稿束が５枚の原稿からなる原稿束である場合に、３枚目の原稿と４枚目の原稿とが重送状態となったものとする。また、図４（ａ）に示すように、１枚目の原稿（「原稿１」）の画像データが、記憶部６７のアドレスａｄｒ１〜ａｄｒ２に格納され、２枚目の原稿（「原稿２」）の画像データが、記憶部６７のアドレスａｄｒ２〜ａｄｒ３に格納され、５枚目の原稿（「原稿５」）の画像データが、記憶部６７のアドレスａｄｒ３〜ａｄｒ４に格納されたものとする。
【００７７】
このとき、記憶制御部６１４は、図４（ｂ）に示すように、「原稿１」は、原稿順が１番目であるから、この「原稿１」の画像データが格納された記憶部６７のアドレスａｄｒ１〜ａｄｒ２と「１番」の原稿順データとを対応付ける。同様に、記憶制御部６１４は、「原稿２」は、原稿順が２番目であるから、この「原稿２」の画像データが格納された記憶部６７のアドレスａｄｒ２〜ａｄｒ３と「２番」の原稿順データとを対応付け、「原稿５」は、原稿順が５番目であるから、この「原稿５」の画像データが格納された記憶部６７のアドレスａｄｒ３〜ａｄｒ４と「５番」の原稿順データとを対応付ける。この原稿順データは、画像形成を実施する際の出力順（画像形成順）に相当するものである。
【００７８】
また、記憶制御部６１４は、前記重送検出処理部６１１から出力される重送原稿に関する情報（重送原稿の有無を示す情報及び原稿束における重送原稿の位置を示す情報）を記憶部６７に格納する。
【００７９】
表示制御部６１５は、前記両面反転読取モードの設定時において前記重送センサ部６８により重送原稿が検出され、前記重送検出処理部６１１から重送原稿に関する情報を受信すると、該重送原稿に関する情報を、表示部５１を用いて視覚的に報知するものである。例えば図２に示すように、前記両面反転読取モードの設定時に前記重送原稿が検出された場合、表示部５１には、重送原稿以外の原稿の縮小画像Ｐ１，Ｐ２，Ｐ３と、重送原稿の発生した旨の報知、該重送原稿の発生箇所の報知及びユーザへの指示を示すメッセージＭと、重送原稿の枚数（矢印Ｄで示している）とが表示される。
【００８０】
ユーザは、この表示部５１の表示を見て重送原稿の発生を認識し、その表示内容を確認して原稿トレイ２１１に載置されている原稿束の中から重送原稿を抜き出し、この抜き出した重送原稿を原稿トレイ２１１に再度載置してスタートボタン５５を操作することになる。
【００８１】
なお、重送原稿の発生等を視覚的に報知する機構に加えて、音や音声を用いて重送原稿の発生等を報知する機構（聴覚的に報知する機構）も搭載すると、ユーザに重送原稿の発生等を早期に認識させたり、表示部５１の表示画面の確認を促したりする（誘導する）ことができるためより好ましい。
【００８２】
指示部６１３は、両面反転読取モードにおいては、表示制御部６１４による報知処理の後に、重送原稿が原稿トレイ２１１に載置された状態でスタートボタン５５が操作されると、原稿トレイ２１１に載置された重送原稿に対する両面反転読取モードに応じた処理を前記モード制御部６１２に指示する。
【００８３】
両面反転読取モードに応じた処理とは、スキャナ部２２により原稿の一方の面を読み取り、その原稿の一部を一時排出部２１９に排出した後、再び該原稿を機内に取り込んで反転状態でスキャナ部２２に搬送して、該原稿の他方の面をスキャナ部２２で読み取った後、その原稿を排紙トレイ２１５に排出する一連の処理である。なお、一時排出部２１９に完全に原稿を排出しても再び機内に取り込める機構（例えば取込ローラ等）が備えられている場合には、一時排出部２１９に完全に原稿を排出してもよい。
【００８４】
一方、指示部６１３は、前記片面読取モード及び前記両面同時読取モードにおいては、重送原稿が原稿トレイ２１１に載置された状態でスタートボタン５５が操作されると、原稿トレイ２１１に載置された重送原稿に対する片面読取モード又は前記両面同時読取モードに応じた処理を前記モード制御部６１２に指示する。
【００８５】
片面読取モードに応じた処理とは、スキャナ部２２により原稿の一方の面を読み取った後、その原稿を排紙トレイ２１５に排出する処理である。また、両面同時読取モードに応じた処理とは、一度の原稿搬送で、前記スキャナ部２２が原稿の一方の面を読み取り、前記ＣＩＳ２３１が該原稿の他方の面を読み取った後、その原稿を排紙トレイ２１５に排出する処理である。
【００８６】
前記記憶制御部６１４は、これらの指示部６１３の指示に基づく読取動作で得られた重送原稿の画像データを記憶部６７に格納する。ここで、記憶制御部６１４は、前記重送原稿の画像データを記憶部６７に格納する際に、記憶部６７に既に格納している重送原稿以外の原稿の画像データと関連付けて該記憶部６７に格納する。
【００８７】
具体的には、前記記憶制御部６１４は、記憶部６７に既に格納されている重送原稿に関する情報に基づき、重送原稿の画像データに対し、重送原稿を含む各原稿の原稿順を示す原稿順データを対応付けた形で前記各画像データを記憶部６７に格納する。
【００８８】
例えば図４（ａ）の場合において、重送原稿である３枚目の原稿（「原稿３」）の画像データが、記憶部６７のアドレスａｄｒ１０〜ａｄｒ１１に格納され、同じく重送原稿である４枚目の原稿（「原稿４」）の画像データが、記憶部６７のアドレスａｄｒ１１〜ａｄｒ１２に格納されたものとする。さらに、アドレスａｄｒ１〜ａｄｒ４と、アドレスａｄｒ１０〜ａｄｒ１２とは不連続な記憶領域であるものとする。
【００８９】
このとき、記憶制御部６１４は、図４（ｂ）に示すように、重送原稿である「原稿３」は、原稿順が３番目であるから、この「原稿３」の画像データが格納された記憶部６７のアドレスａｄｒ１０〜ａｄｒ１１と「３番」の原稿順データとを対応付け、重送原稿である「原稿４」は、原稿順が４番目であるから、この「原稿４」の画像データが格納された記憶部６７のアドレスａｄｒ１１〜ａｄｒ１２と「４番」の原稿順データとを対応付ける。
【００９０】
これにより、重送原稿の画像データの出力順と、既に得られている重送原稿以外の原稿の画像データの出力順とが一連となるように、重送原稿の原稿順データを画像データに対応付けた形で前記各画像データが記憶部６７に記憶され、前記重送原稿の画像データが、記憶部６７に既に格納している重送原稿以外の原稿の画像データと関連付けられる。
【００９１】
画像形成指示部６１６は、前記重送原稿の画像データが前述のように前記記憶部６７に既に格納している重送原稿以外の原稿の画像データと関連付けて該記憶部６７に格納されると、該記憶部６７から前記原稿順データにしたがって各画像データを読み出して画像形成部４０に出力する。画像形成部４０は、画像形成指示部６１６から画像データが出力されると、その出力された画像データに基づいて用紙に画像形成動作を実施する。
【００９２】
次に、複合機１による画像形成処理を説明する。図５は、複合機１による画像形成処理を示すフローチャートである。
【００９３】
図５に示すように、指示部６１３は、前記重送センサ部６８から出力される受光信号に基づき重送原稿が検出されたと判断すると（ステップ♯１でＹＥＳ）、現在の読取モードを確認する。指示部６１３は、現在の読取モードが両面反転読取モードである場合には（ステップ♯２でＮＯ）、重送原稿の前後で搬送される原稿（重送原稿以外の原稿）の両面を反転動作を介して順次スキャナ部２２により読み取って排紙トレイ２１５に排出し、また、重送原稿については画像読取部２の読取動作を禁止し且つ反転動作を行うことなく前記排紙トレイ２１５に排出する処理を前記モード制御部６１２に指示し、また、記憶制御部６１４は、得られた重送原稿以外の原稿の画像データ等を記憶部６７に格納する（ステップ♯３）。
【００９４】
なお、この場合、前述したように、重送原稿以外の原稿を１度の反転のみで排紙トレイ２１５に排出すると、重送原稿と該重送原稿以外の原稿とで表裏が逆になるので、指示部６１３は、重送原稿以外の原稿を再度反転した後に前記排紙トレイ２１５に排出する処理を前記モード制御部６１２に指示する。
【００９５】
この処理の後、表示制御部６１５は、重送原稿に関する情報を、表示部５１を用いて視覚的に報知する（ステップ♯４）。これにより、ユーザは、この表示部５１の表示を見て、重送原稿を原稿トレイ２１１に載置されている原稿束の中から抜き出し、この抜き出した重送原稿を原稿トレイ２１１に再度載置してスタートボタン５５を操作することになる。
【００９６】
一方、指示部６１３は、現在の読取モードが片面読取モード又は両面同時読取モードである場合には（ステップ♯２でＹＥＳ）、前記重送原稿の前後で搬送される原稿（重送原稿以外の原稿）を読み取って排紙トレイ２１５に排出する一方、前記重送原稿に対する画像読取部２の読取動作を禁止し、該重送原稿を一時排出部２１９に排出する処理を前記モード制御部６１２に指示し、また、記憶制御部６１４は、得られた重送原稿以外の原稿の画像データを記憶部６７に格納する（ステップ♯５）。
【００９７】
これにより、ユーザは、一時排出部２１９に原稿が排出されていることで重送原稿の発生を認識し、前記一時排出部２１９に載置されている重送原稿を取り出して原稿トレイ２１１に再度載置してスタートボタン５５を操作することになる。
【００９８】
指示部６１３は、ステップ♯４又は♯５の処理後、原稿トレイ２１１に重送原稿が載置された状態でスタートボタン５５が操作されたか否かを判断し（ステップ♯６）、スタートボタン５５が操作されたと判断すると（ステップ♯６でＹＥＳ）、原稿トレイ２１１に載置された重送原稿に対し、その時点で設定されている読取モードに応じた処理を前記モード制御部６１２に指示し、前記記憶制御部６１４は、この指示部６１３の指示に基づく読取動作で得られた重送原稿の画像データを、該記憶部６７に既に格納している重送原稿以外の原稿の画像データと関連付けて該記憶部６７に格納する（一連の原稿順データを生成；ステップ♯７）。
【００９９】
そして、画像形成指示部６１６は、この一連の原稿順データにしたがって前記記憶部６７から各画像データを読み出して画像形成部４０に出力し、画像形成部４０は、画像形成指示部６１６から出力された画像データに基づいて用紙に画像形成動作を実施する（ステップ♯８）。
【０１００】
以上のように、本実施形態では、前記片面読取モード及び前記両面同時読取モードの設定時においては、前記重送原稿以外の原稿（重送原稿の前後で搬送される原稿）を全て読み取るようにしたので、ユーザが複合機１の設置場所から一時的に離れて戻ってきたときに、重送原稿以外の全ての原稿の複写物をユーザに提供できるため、重送原稿が発生すると装置の動作を停止する場合に比して、大量の原稿が読み取られないままの状態になるのをできるだけ回避することができる。
【０１０１】
その結果、重送原稿の発生を検出するとそれ以降の読取動作を停止する装置に比して、読取動作のやり直しを行わせなければならない原稿の枚数を低減することができ、そのやり直しを行わせている間の待機時間や装置の停止時間を大幅に低減することができる。
【０１０２】
また、前記両面反転読取モードの設定時においては、片面読取モードや両面同時読取モードのように重送原稿とそれ以外の原稿とを別の排出場所に区別して排出することができない点を考慮して、重送原稿の発生を報知するようにしたので、読取動作が行われなかった原稿が発生していることにユーザが気付かないという状態が発生するのを可及的に防止することができ、さらに、原稿束における重送原稿の位置も報知するようにしたので、このような報知を行わない場合に比して、重送原稿を見つけ出しやすくなり、重送原稿に対する読取動作のやり直しに要する作業を行う場合のユーザの手間をできるだけ軽減することができる。
【０１０３】
また、前記重送原稿の画像データを記憶部６７に格納する場合に、重送原稿の画像データと重送原稿以外の原稿の画像データとに対し、各原稿の原稿順を示す原稿順データを対応付けた形で前記各画像データを記憶部６７に格納するようにしたので、重送原稿の画像データの記憶領域とそれ以外の原稿の画像データの記憶領域とが不連続な記憶領域であっても、前記複写物を原稿束と同じ状態で出力することができる。よって、出力物（複写物）が原稿束と異なる状態で出力される場合には、頁順や表裏の関係を揃える作業がユーザに課されるが、このような作業が不要となり、装置の利便性を確保することができる。
【０１０４】
なお、本件は、前記実施形態に代えて、又は前記実施形態に加えて次のような変形形態も採用可能である。
【０１０５】
［１］前記実施形態においては、前記片面読取モード及び両面同時読取モードにおいては、重送原稿をそれ以外の原稿と排出位置を異ならせたことでユーザが重送原稿の発生を認識することを期待して、重送原稿の発生をユーザに報知するようにはしなかったが、前記片面読取モード及び両面読取モードにおいても重送原稿の発生をユーザに報知するようにするとより好ましい。
【０１０６】
［２］一連（一群）の原稿束において、複数回重送原稿の発生を検出した場合には、各回で発生した重送原稿に関する情報を、表示部５１を用いて視覚的に報知するように構成するとよい。なお、この場合、各回で発生した重送原稿に関する情報を表示部５１に一度に表示できない状況が発生することが考えられる。
【０１０７】
この場合には、原稿の縮小画像を切り替える機能を装置に搭載するとよい。すなわち、図６（ｂ）に示すように、左ボタン５９ａ及び右ボタン５９ｂを別途設け、左ボタン５９ａ及び右ボタン５９ｂの操作に応じて、表示部５１に表示する対象の縮小画像を読取順に１つずつずらしていくようにするとよい。
【０１０８】
例えば、図６（ａ）に示すように、読取対象の原稿束が１０枚の原稿からなるものであり、そのうち３枚目の原稿と４枚目の原稿とが重送状態となるとともに、８枚目の原稿と９枚目の原稿とが重送状態となったものとする。
【０１０９】
このとき、表示部５１において各重送原稿の位置を示すためには、２枚目、５枚目、７枚目、１０枚目の各原稿の縮小画像を表示する必要があるが、これらの縮小画像を一度に表示部５１に表示できない場合には、図６（ｂ）〜図６（ｅ）に示すように、表示できる縮小画像の数の分だけ縮小画像を表示部５１に表示し、前記左ボタン５９ａ及び右ボタン５９ｂで表示部５１に表示する対象の縮小画像を読取順に１つずつずらしていき、各表示画面において、重送原稿を挟む原稿の縮小画像が表示されているとき、その重送原稿が発生した位置を矢印等で表すとよい。
【０１１０】
なお、各回で発生した重送原稿に関する情報を１度に表示できる場合には、該情報を表示部５１に表示するようにするとよい。例えば、図７（ａ）に示すように、複写対象の原稿束が７枚の原稿からなるものであり、その原稿束のうち２枚目の原稿と３枚目の原稿とが重送状態となるとともに、５枚目の原稿と６枚目の原稿とが重送状態となったものとする。
【０１１１】
このとき、図７（ｂ）に示すように、１枚目の原稿に係る縮小画像と４枚目の原稿に係る縮小画像と７枚目の原稿に係る縮小画像とが一度に表示できるときには、これらの縮小画像を同時に表示し、重送原稿が発生した位置を矢印等で表すとよい。
【０１１２】
［３］重送原稿の枚数をユーザが入力できるように構成してもよい。この場合、重送原稿の枚数をユーザが入力する操作を行うための枚数入力操作部をユーザインターフェース部５に備えるとよい。また、この場合、指示部６１３は、該枚数入力操作部により入力された枚数分の重送原稿をスタートボタン５５の操作により原稿トレイ２１１から取り込んで読取動作を実施する処理をモード制御部６１２に指示し、記憶制御部６１４は、前記と同様に、該読取動作で得られた重送原稿の画像データを、それ以外の原稿の画像データと関連付けて（原稿順データを作成して）記憶部６７に格納するようにするとよい。
【０１１３】
これにより、複合機１（重送センサ部６８及び重送検出処理部６１１）で検出した重送原稿の枚数が誤っている場合であっても、正確な重送原稿の枚数を装置に認識させることができる。
【０１１４】
［４］前記実施形態では、重送原稿を検出した場合に、該重送原稿に対する読取動作を禁止するようにしたが、この形態に限らず、該重送原稿に対しても読取動作を行って、該読取動作で得られた重送原稿の画像データを削除する形態でもよい。
【図面の簡単な説明】
【０１１５】
【図１】本発明に係る画像読取装置及び画像形成装置の一実施形態である複合機の内部構成を模式的に示した縦断面図である。
【図２】ユーザインターフェース部の正面図の一例である。
【図３】複合機の電気的な構成を示すブロック図である。
【図４】重送原稿の画像データとそれ以外の原稿の画像データとを対応付けて記憶する形態の説明図である。
【図５】複合機による画像形成処理を示すフローチャートである。
【図６】重送原稿の報知形態に係る変形形態を示す図である。
【図７】重送原稿の報知形態に係る変形形態を示す図である。
【符号の説明】
【０１１６】
１      複合機
２      画像読取装置
２１５  排紙トレイ
２１９  一時排出部
５      ユーザインターフェース部
５１    表示部
６１    制御部
６１１  重送検出処理部
６１２  モード制御部
６１３  指示部
６１４  記憶制御部
６１５  表示制御部
６１６  画像形成指示部
６７    記憶部
６８    重送センサ部
【図１】
2010136274.tif 000003
【図２】
2010136274.tif 000004
【図３】
2010136274.tif 000005
【図４】
2010136274.tif 000006
【図５】
2010136274.tif 000007
【図６】
2010136274.tif 000008
【図７】
2010136274.tif 000009